(57)【要約】      （修正有）【課題】煩雑な入力作業を繰り返すことなく、最新の個人情報をネットワークを通じて入手する。【解決手段】アドレス帳データ等の個人情報を、個人情報と関連付けられた識別子を除いて各人の情報端末３０，３０a、６０に保持することなく、即ち、ダウンロードすることなく、該個人情報をセンターサーバー１０にて一元的に更新、管理し、前記識別子を基にしてその個人情報を前記端末で直接閲覧する。センターサーバーに蓄積された個人情報は当該個人によってのみ更新され、当該情報は本人が許諾した情報端末３０aに本人が許諾した項目を表示させる。【選択図】図１
2011008799.tif 000002
【特許請求の範囲】
【請求項１】
サーバーに蓄積され本人のみによって随時更新される個人情報を、該個人情報と関連付けられ、任意の長さの文字、記号等からなる組合せ列であって自他を識別し他人に自由に告知可能な識別子を基に、前記サーバーとネットワークで結ばれた情報端末から呼び出し、該端末には前記個人情報を常時保持せずに表示させる個人情報の閲覧方法であって、
前記識別子の告知を受けた他人が前記サーバーに該識別子と関連付けられた個人情報の開示を請求し、この請求をサーバーが本人に通知した後、本人による開示許諾があった後、前記個人情報が前記端末に表示可能となる個人情報の閲覧方法。
【請求項２】
前記個人情報を閲覧する毎に情報端末に表示させる請求項１記載の個人情報の閲覧方法。
【請求項３】
前記サーバーによる請求通知および本人による開示許諾をそれぞれ電子メールで通知する請求項１または２記載の個人情報の閲覧方法。
【請求項４】
前記サーバーが本人による開示許諾を他人に通知する請求項１〜３のいずれかに記載の個人情報の閲覧方法。
【請求項５】
前記サーバーによる開示通知を電子メールで通知する請求項４記載の個人情報の閲覧方法。
【請求項６】
前記サーバーによる請求通知の際、前記他人の個人情報を開示する請求項１〜５のいずれかに記載の個人情報の閲覧方法。
【請求項７】
請求項１〜６のいずれかに記載した個人情報の閲覧方法に用いる個人情報携帯端末であって、個人識別子の入力手段と、随時更新される個人情報を蓄積したサーバーとのデータ通信手段と、該通信手段により前記個人識別子に関連付けられた個人情報を内部に常時保持せずに表示する手段とを備えた個人情報携帯端末。
【請求項８】
請求項１〜６のいずれかに記載した個人情報の閲覧方法に用いる個人情報管理サーバーであって、個人の要求により該個人の識別子を設定する手段と、該識別子に関連付けて当該個人情報を蓄積する個人情報蓄積部と、外部情報端末からの識別子に基づく個人情報の開示要求に対して当該個人情報を送信する手段とを備えた個人情報管理サーバー。
【請求項９】
前記個人情報蓄積部の個人情報を本人の要求により更新する手段を備えた請求項８記載の個人情報管理サーバー。
【請求項１０】
前記個人情報の一部に画像データを含み、該画像データの蓄積部を備えた請求項８記載の個人情報管理サーバー。
【請求項１１】
請求項１〜６のいずれかに記載した個人情報の閲覧方法に用いる個人情報管理サーバーであって、ＩＤの発行と管理を行うＩＤ発行部と、前記ＩＤを蓄積しておくＩＤ蓄積部と、識別子の発行と管理を行うＣＣＩＤ発行部と、前記識別子を蓄積しておくＣＣＩＤ蓄積部と、外部情報端末から入力された個人情報を前記識別子に関連付けて蓄積しておく個人情報蓄積部と、情報端末宛のメールを生成するメール生成部と、電子メールの送受信・転送機能を有するメーラー部と、情報端末に表示する個人情報ファイルを生成する表記言語ファイル生成部と、前記生成された個人情報ファイルを蓄積する表記言語ファイル蓄積部と、情報端末からの識別子に基づく個人情報の開示要求に先立ち予め該識別子を登録し、以後これを管理するアドレス情報管理部と、前記個人情報蓄積部に蓄積された個人情報について開示許否を設定し、これを管理する個人情報開示管理部と、を備えた個人情報管理サーバー。
【請求項１２】
前記構成部に加えて、画像ファイル名の発行と管理を行う画像ファイル名発行部と、前記画像ファイル名を蓄積しておく画像ファイル名蓄積部と、前記情報端末からメールアップされた画像データを蓄積する画像データ蓄積部と、を備えた請求項１１記載の個人情報管理サーバー。
【請求項１３】
請求項１〜６のいずれかに記載した個人情報の閲覧方法によって得られる電子アドレス帳において、ネットワークで結ばれた情報端末のモニターに表示される電子アドレス帳であって、該電子アドレス帳の表示データが該電子アドレス帳に予め登録した識別子と、前記ネットワークから電子アドレス帳の閲覧毎に入手されるデータであって、前記識別子と関連付けられた個人情報データとからなる電子アドレス帳。
【発明の詳細な説明】
【技術分野】
【０００１】
本発明は、ネットワークに接続された個人情報端末を利用した個人情報の閲覧方法および電子アドレス帳に関するものである。
【背景技術】
【０００２】
現在、アドレス帳に代表される殆どの個人情報管理方式は、その所持者個人個人が知人の住所、電話番号などの情報をアドレス帳に記入しておき、必要に応じてそれらの情報を開き見るようになっている。また、電子アドレス帳も同様に、各人がデータを予め入力しておき、必要とする度に、当該データにアクセスし閲覧している。このような個人情報管理方法では、情報量が多くなるに従って、記入または入力作業が煩雑となる。また、電子メールアドレス、勤務先電話番号といった個人情報は一般に変わり易く、特に近年における携帯電話の出現や、転職等の自由意識の普及に伴い、個人情報の陳腐化は著しい。また、従来より日本的習慣として存在する、会社名を印刷した名刺などの管理方法も同様の課題を有している。
【０００３】
特開平１０−４９４６６号公報（特許文献１）には、所属する会員のＩＤに対応して会員のアドレスデータを格納する会員管理ＤＢを備えて会員の通信を管理するセンターにおいて、通信する第１の会員のＩＤに対応させて通信相手の第２の会員のＩＤを格納するセンターアドレス帳ＤＢと、上記センターアドレス帳ＤＢの第２の会員のＩＤに基づき上記会員管理ＤＢを検索して対応するアドレスデータを収集するアドレスデータ収集手段とを備えたアドレスデータ自動収集システムが開示されている。このシステムによれば、通信相手の最新のアドレスデータを自動的に収集することができるものの、端末機中にデータベースを持つのでアドレス帳の登録人数がメモリーの大きさに制約される。また、センターサーバーに接続しなくともアドレス帳が閲覧可能であり、古いデータを表示しているにも拘らずそれに気付かないという弊害を有している。
【先行技術文献】
【特許文献】
【０００４】
【特許文献１】特開平１０−４９４６６号公報
【発明の概要】
【発明が解決しようとする課題】
【０００５】
本発明は、煩雑な入力作業を繰り返したり、誤登録の心配がなく、最新の個人情報がネットワークを通じて入手することのできる、個人情報の閲覧方法およびそのような電子アドレス帳を提供しようとするものである。
【課題を解決するための手段】
【０００６】
即ち、本発明は、アドレス帳データ等の個人情報を、個人情報と関連付けられた識別子以外は各人の情報端末に保持することなく、即ち、ダウンロードすることなく、該個人情報をセンターサーバーにて一元的に更新、管理し、前記識別子を基にしてその個人情報を前記端末で直接閲覧できるようにすることにより前記課題を解決するものである。なお、センターサーバーに蓄積された個人情報は当該個人によってのみ更新され、当該情報は本人が許諾した情報端末に本人が許諾した項目を表示させるものである。
【０００７】
本発明において個人情報とは、住所、氏名、電話番号、ファクシミリ番号、電子メールアドレス等の属性情報をいう。また、識別子とは、任意の長さの文字、記号等からなる組合せ列をいう。
【発明の効果】
【０００８】
本発明に係る個人情報の閲覧方法および電子アドレス帳によれば、個人情報をわざわざ入力することがないから煩雑な入力作業を繰り返したり、誤登録の心配をする必要がない。また、個人情報の閲覧毎にセンターサーバーにアクセスして蓄積データを表示させるので、常に最新データを閲覧することができる。
【図面の簡単な説明】
【０００９】
【図１】本発明に係る個人情報の閲覧方法を示す全体説明図である。
【図２】本発明方法の基本原理を示す説明図である。
【図３】識別子（ＣＣＩＤ）を記載した名刺の例である。
【図４】情報端末から個人情報を登録する際の入力画面例である。
【図５】情報端末から知人の個人情報を開示請求する際の識別子入力画面例である。
【図６】情報端末における自己のアドレス帳の先頭画面例である。
【図７】情報端末に表示された個人情報の詳細画面例である。
【図８】個人情報開示テーブルの一例である。
【図９】情報端末に表示させるアドレス帳データの設定テーブルの一例である。
【図１０】識別子の発行手順とこれに関係するセンターサーバーのブロック構成図である。
【図１１】個人情報の開示請求手続において、情報端末に表示されるセンターサーバーからの通知メールの例示である。
【図１２】上記開示請求手続が完了する迄の手順を、センターサーバーのブロック構成図と共に示す。
【図１３】個人情報の表示に関する情報端末とセンターサーバー間のシーケンス説明図である。
【図１４】画像データのアップロードに関係するセンターサーバーのブロック構成図である。
【図１５】本発明方法における他の利用例を示す説明図である。
【符号の説明】
【００１０】
１０   センターサーバー１０
２０   メールサーバー
３０、３０ａ   情報端末
６０、６０ａ   パソコン端末
１０１５   ＩＤ発行部
１０１７   ＣＣＩＤ発行部
１０１９   画像ファイル名発行部
１０２３   個人情報蓄積部
１０２４   メール生成部
１０２６   メーラー部
１２１１   表記言語ファイル生成部
１２１３   個人情報開示管理部
１２１５   アドレス情報管理部
【発明の実施の形態】
【００１１】
以下、図面を参照しながら本発明に係る好適な実施形態を説明する。図１は、本発明方法の全体説明図であり、図面上部には個人情報を蓄積、管理するセンターサーバー１０と、このセンターサーバー１０と外部間の通信機能を担うメールサーバー２０とが示されている。メールサーバー２０は、センターサーバー１０内に存在しても構わないが、物理的に分離されている方が好ましい。センターサーバー１０の右側には、前記個人情報を蓄積する記憶媒体１１を取り出して示している。図１下部には、携帯電話等に代表される情報端末３０と、これらの情報端末３０と電波４２により結ばれ、これらを管理運営するサーバー４０が示されている。運営サーバー４０は、前記センターサーバー１０やメールサーバー２０と共に、インターネット等のネットワーク５０により結ばれている。符号６０はネットワーク５０に接続されたパソコン端末である。
【００１２】
先ず、本発明方法の基本原理を図２によって概説する。センターサーバー１０には、先ず、情報端末３０（またはパソコン端末６０）の所有者により、その個人情報が登録されなければならない（２０１）。この登録時には個人情報に対する識別子が発行され、情報端末３０の所有者は該識別子を知人である情報端末３０ａ（またはパソコン端末６０ａ）の所有者に知らせる（２０２）。勿論、この情報端末３０ａの所有者は当サービスに加入している必要がある。
【００１３】
この知人はその情報端末３０ａからセンターサーバー１０に対して、告知された識別子に対応する個人情報の開示を請求する（２０３）。このとき、センターサーバー１０は、前記請求があったことを情報端末３０の所有者に通知し、開示許諾を求める（２０５）。そして個人情報の開示許諾を受けた情報端末３０ａの所有者は、以後、センターサーバー１０のサービスメニューを介して、識別子を基に情報端末３０の所有者の個人情報を見ることが可能となる（２０４）。当該個人情報は、情報端末３０ａのデータエリアに書き込まれるのではなく、要求毎にセンターサーバー１０の記憶媒体１１から個人情報データそのものを引き出すものであるから、本人管理による最新の個人情報が情報端末３０ａのアドレス帳にその都度表示されることになる。
【００１４】
前記流れを図１に戻って説明すると、アドレス帳の閲覧サービスを受けようとする場合、サービス希望者は情報端末３０（またはパソコン端末６０）よりセンターサーバー１０に接続し、サービス加入手続きと自己の個人情報の登録を行う。この際、情報端末３０を使用する場合の送信経路は、加入する携帯電話事業者の電波４２を経て、ネットワーク５０へ接続する為の信号変換サーバーである運営サーバー４０を経由する。センターサーバー１０は、前記サービス希望者の登録を受け付けると、その個人情報を記憶媒体１１に記録すると共に、固有の識別子を発行する。また、サービス希望者の顔写真等、画像データを登録するためのファイルネームを同時に発行するようにしてもよい。この時点より、自己の個人識別子を有するサービス希望者は、このサービスの会員として、該識別子を他人に自由に告知（２０２）可能となる。
【００１５】
前記告知を受けた本サービスの会員である情報端末３０ａ（またはパソコン端末６０）の所有者は、該識別子を自己のアドレス帳に登録するために、センターサーバー１０にアクセスする。センターサーバー１０は、該識別子を記録媒体１１に保存すると共に、該識別子の所有者に対しメールサーバー２０を介して「開示請求」があったことを知らせるメールを送信する。該識別子の所有者は該メールにより何処の誰がアドレス帳に自己の識別子を登録希望したか知り得るので、これを許可または不本意な場合には不許可とすることができる。
【００１６】
上記登録作業が完了すると、情報端末３０ａの所有者はアドレス帳の閲覧サービスを受けることができ、個人識別子を基に自己のアドレス帳で個人情報を閲覧することができるようになる。従って、表示された電話番号を選択して直接架電することができ、架け間違いの心配がなくなる。また、電子メールアドレスを選択すれば、送信宛先欄にそのアドレスが入力されたメーラーが起動し、これもまた入力ミスを防げる一方、面倒な入力作業が無くなり、送信が容易となる。
【００１７】
上記本発明に係るアドレス帳の閲覧サービスを、情報端末３０の表示画面を中心として説明すれば、次の通りである。図４は、情報端末３０において自己の個人情報を登録する際の入力例を示しており、入力画面４００の右側にはそのスクロール画面４０１と、次頁入力画面４０２が図示されている。スクロール画面４０１には、属性情報入力欄が設けられ、次頁入力画面４０２には希望する識別子の第一候補、第二候補、第三候補の入力欄が設けられている。個人情報の登録に際し、どのような属性情報を入力項目とするかは、サービス提供者の任意である。
【００１８】
図５は情報端末３０ａにおいて、告示された識別子を基に、知人の個人情報を開示請求する際の、識別子入力画面である。アドレス帳申請の入力画面５００には、識別子の入力欄５０１が設けられており、個人情報の開示請求者は入力欄５０１に希望する識別子を入力することにより、当該識別子に対応する個人情報の開示を受けることができる。勿論、相手方の同意が開示の条件となる。
【００１９】
図６は情報端末３０ａにおける、自己のアドレス帳の先頭画面６００であり、図の右側には、識別子を入力することによって該当する個人情報の閲覧が可能となった登録者の一覧氏名がスクロール画面６０１に示されている。
【００２０】
図７は、情報端末３０ａに表示された個人情報の詳細画面７００を示す一例であり、前記図６のスクロール画面６０１で特定した個人情報が表示されるようになっている。図の右側に、詳細画面７００のスクロール画面７０１を示す。
【００２１】
次に、識別子の取得方法について図１０を参照しながら説明する。図１０には、識別子の発行手順を記載した操作ブロック１０００と、識別子の発行に関係するセンターサーバー１０の構成部が記載されている。即ち、センターサーバー１０は、各種データに対する処理、入出力、送受信を行うために通常備えるべき構成部として、センターサーバー１０全体の動作を制御する制御部１０１０と、データ処理を行う処理部１０１１と、各種入出力装置及びネットワーク５０等に接続される入出力インターフェース１０１２と、該入出力インターフェース１０１２からデータを受け取る入力部１００３と、データを出力する出力部１００４と、データ処理の際に一時的にデータを記憶する記憶部１００５と、各種データを受信する受信部１００６と、各種データを送信する送信部１００７と、を備えている。
【００２２】
センターサーバー１０は、前記通常備えるべき構成部に加えて更に、新規ＩＤの発行とＩＤの管理を行うＩＤ発行部１０１５と、発行したＩＤを蓄積しておくＩＤ蓄積部１０１６と、新規ＣＣＩＤの発行とＣＣＩＤの管理を行うＣＣＩＤ発行部１０１７と、発行したＣＣＩＤを蓄積しておくＣＣＩＤ蓄積部１０１８と、新規画像ファイル名の発行と画像ファイル名の管理を行う画像ファイル名発行部１０１９と、発行した画像ファイル名を蓄積しておく画像ファイル名蓄積部１０２０と、情報端末３０からメールアップされた画像データを蓄積する画像データ蓄積部１０２１と、情報端末３０から入力された個人情報をＣＣＩＤに関連付けて蓄積しておく個人情報蓄積部１０２３と、情報端末３０宛のメールを生成するメール生成部１０２４と、各種メールテンプレートを蓄積しておくメールテンプレート部１０２５と、電子メールの送受信・転送機能を有するメーラー部１０２６とを備えている。
【００２３】
自分の識別子を取得しようとする者１００１は、先ず、前記図４に示す情報端末３０（またはパソコン端末６０など）の登録画面４０１から、登録画面４０１記載の個人情報を入力する。個人情報とは、住所、氏名、電話番号、ファクシミリ番号、電子メールアドレス等の属性情報であって、これらは後述する個人情報蓄積部１０２３に蓄積される。また、個人情報蓄積部１０２３に既に登録された個人情報は、本人である希望者１００１によって随時、変更、更新される。前記希望者１００１は自己の個人属性情報の入力と一緒に、任意の識別子を創作し、第一希望から第三希望までの３語を入力し、センターサーバー１０に送信する。
【００２４】
識別子は、文字、記号等から構成される任意の組合せであって、文字、記号の数も自由である。識別子は、個人情報と対応させることができるものであって、端末からの入力が可能なものであれば格別の制限はなく、例えば、姓名をローマ字表記、漢字表記することにより、または、文字数を少なくすることにより覚えやすいものとすることができる。なお、以下の説明では、識別子を Calling Card I.D.の頭文字を採ってＣＣＩＤと言うこともある。図３は、名刺３００にＣＣＩＤ３０１を印刷した例であり、口頭によって告知する場合よりも相手に確実に伝達することができる。
【００２５】
前記ＣＣＩＤを含む登録信号は、入出力インターフェース１０１２を経て、受信部１００６に入る。この信号に対し、制御部１０１０の指示を受けた処理部１０１１は、記憶部１００５に該信号を転送する。この記憶部１００５内の登録信号に対し、処理部１０１１は、ＩＤ発行部１０１５に指示し、新たなＩＤを発行させるとともに個人情報と関連付けた後、ＩＤ蓄積部１０１６に蓄積させる。次に、処理部１０１１はＣＣＩＤ発行部１０１７に指示し、送られて来たＣＣＩＤ候補の３語をＣＣＩＤ蓄積部１０１８に照合させ、既に蓄積されているものと同じ語以外を報告させる。この同じ語以外の語が複数ある場合には、希望順に１語を選択し、処理部１０１１に報告させる。
【００２６】
処理部１０１１は、更に、画像ファイル名発行部１０１９に指示し、前記記憶部１００５内の登録信号に対し、新たな画像ファイル名を生成するよう指示し、新たな画像ファイル名を発行させるとともに個人情報と関連付けた後、画像ファイル名蓄積部１０２０に蓄積させる。次に、処理部１３１３は、メール生成部１０２４に希望者１００１に対するメールの生成を指示し、メール生成部１０２４は、新規に発行されたＩＤ、ＣＣＩＤ、画像ファイル名、メールテンプレート部１０２５より引き出したメールテンプレート、記憶部１００５内の登録信号中のメールアドレス等を合成し、メーラー部１０２６に送信依頼すると同時に記憶部１００５内の登録信号を個人情報蓄積部１０２３に保存する。上記メールは、メールサーバー２０を経由し、ＣＣＩＤ発行書として希望者１００１に送信される。なお、前記ＣＣＩＤ候補の３語全てが既に登録済の場合には、このメールにより新たな３語を受け入れる旨送信する。
【００２７】
次に、図１１と図１２を用いて、ＣＣＩＤの告知から、センターサーバー１０における個人情報の開示準備作業までの流れを説明する。図１１の左端部には、センターサーバー１０から発信される「開示請求」通知メール１１０１が例示され、メールの末尾には、リンク情報先を示すＵＲＬ１１０２が記載されている。このメール１１０１は情報端末３０に受信され、前記ＵＲＬ１１０２を選択すれば、自己のＣＣＩＤを申請した相手の個人情報１１０３を参照することができるようになっている。符号１１０４は個人情報１１０３をスクロール表示させた全体画面であり、その末尾には相手に自己の個人情報の開示を許可するための許可ボタン１１０５と不許可とするための不許可ボタン１１０６が設けられている。また、許可・自己登録ボタン１１０８は許可と同時に、自分からも相手のＣＣＩＤに基づく個人情報の開示請求を行うものである。また、悪意や悪戯等と判断される相手に対しては、調査依頼ボタン１１０７により、センターにクレーム調査を依頼することができる。図１１の右端部には、許可された場合のみセンター１０から発信される開示通知メール１１０９の一例を記載している。
【００２８】
図１２は、上記開示請求手続が完了する迄の手順を、センターサーバー１０のブロック構成図と共に示している。図１２の左半部の操作ブロック１２００には、ＣＣＩＤを有するＡ氏とＡ氏所有の情報端末３０、および該ＣＣＩＤをＡ氏から告知され自己のアドレス帳に登録しようとするＢ女史とＢ女史所有の情報端末３０ａが示されている。また、開示請求通知メール（確認メール）と開示通知メールを送信するメールサーバー２０が示されている。図１２の右半部には、センターサーバー１０側の構成のうち、ここでの説明に必要な構成部のみを記載し、前記図１０に記載した構成部については図１０と同一符号を付してその説明を省略する。
【００２９】
センターサーバー１０は前記構成部に加えて、情報端末３０ａに表示する個人情報詳細ファイルを生成する表記言語ファイル生成部１２１１と、前記生成された個人情報詳細ファイルを蓄積する表記言語ファイル蓄積部１２１２と、情報端末３０ａからのＣＣＩＤに基づく個人情報の閲覧要求に先立ち予め該ＣＣＩＤを登録し、以後これを管理するアドレス情報管理部１２１５と、個人情報蓄積部１０２３に蓄積された個人情報について開示許否を設定し、これを管理する個人情報開示管理部１２１３と、個人情報蓄積部１０２３から抽出され、調査対象となった個人情報を蓄積する調査依頼データ蓄積部１２１６と、を備えている。
【００３０】
Ａ氏からＡ氏のＣＣＩＤを告知されたＢ女史は、先ず、情報端末３０ａからセンターサーバー１０にアクセスする。センターサーバー１０では、入出力インターフェース１０１２を経て、受信部１００６に受信されたＢ女史のアクセス信号は、制御部１０１０の指示を受けた処理部１０１１によって記憶部１００５へと転送される。転送されたアクセス信号は処理部１０１１によってＩＤ発行部１０１５にＩＤ確認の処理を委託される。その委託を受けたＩＤ発行部１０１５は、記憶部１００５内のアクセス信号に対しＩＤの解析処理を行い、解析されたＩＤが登録されたものかどうかＩＤ蓄積部１０１６に照会し、登録されたものであることを確認後、その旨を処理部１０１１に報告する。その報告を受けた処理部１０１１は、記憶部１００５内のアクセス信号のＣＣＩＤが登録されたものであるかどうか、ＣＣＩＤ発行部１０１７に確認の処理を委託する。その委託を受けたＣＣＩＤ発行部１０１７は、記憶部１００５内のアクセス信号に対しＣＣＩＤの解析処理を行い、解析されたＣＣＩＤが登録されたものかどうかＣＣＩＤ蓄積部１０１８に照会し、登録されたものであることを確認後、その旨を処理部１０１１に報告する。
【００３１】
予め登録されたＣＣＩＤであると報告を受けた処理部１０１３は、メール生成部１０２４に対し、Ａ氏に対しＢ女史からＣＣＩＤの申請によるＡ氏の個人情報の開示要求がなされたことを知らせるメールの作成を委託する。メール生成部１０２４は、メールテンプレート部１０２５より「開示請求通知メール」用テンプレートを引き出すと同時に、申請及び情報開示要求を出しているのが誰であるかという個人情報詳細ファイルの生成を表記言語ファイル生成部１２１１に生成委託し、表記言語ファイル生成部１２１１はそのファイルを表記言語ファイル蓄積部１２１２に蓄積し、その保存場所であるＵＲＬをメール生成部１０２４へと戻す。さらに、メール生成部１０２４は、該ＣＣＩＤのメールアドレスをＣＣＩＤ蓄積部１０１８より取得し、これら全てを合成してメーラー部１０２６に送信委託する。
【００３２】
メーラー部１０２６は、前記メールを送信部１００７、入出力インターフェース１０１２を経てメールサーバー２０へと送り、メールサーバー２０は、前記メールアドレス宛に開示請求通知メール１１０１を発信する。このメールを情報端末３０に受信したＡ氏が、メール本文末尾のリンク情報先を示すＵＲＬ１１０２を指定すると、情報端末３０は指定ＵＲＬにアクセスを開始し、前記表記言語ファイル蓄積部１２１２に蓄積された表記言語ファイルを情報端末３０に取り込む。取り込まれた表記言語ファイルは情報端末３０の画面上に、個人情報の詳細画面１１０３（１１０４）として表示される。表示されたＢ女史の個人情報１１０４を見たＡ氏は、個人情報を開示しても良い場合は許可ボタン１１０５を、開示すると同時に、自分からも相手のＣＣＩＤに基づく個人情報の開示請求を行う場合には許可・自己登録ボタン１１０８を、開示したくない場合は不許可ボタン１１０６を、明らかに故意の悪戯と判断される相手に対しそのクレームをセンターに調査依頼として送信する場合には調査依頼ボタン１１０７を、夫々選択することができる。
【００３３】
Ａ氏が許可ボタン１１０５を選択すると、Ａ氏の情報端末３０は許可信号をセンターサーバー１０に送信し、この許可信号は入出力インターフェース１０１２を経て受信部１００６に受信される。受信部１００６に入った信号は、制御部１０１０の指示を受けた処理部１０１１によって記憶部１００５へと転送される。転送された許可信号は、処理部１０１１によってアドレス情報管理部１２１５に登録され、後述するＢ女史のアドレス帳テーブル１３０５を作成すると共に、個人情報開示管理部１２１３に登録され、後述するＡ氏の個人情報開示テーブル１３１０を作成する。
【００３４】
処理部１１１３は上記許可信号の登録と同時に、メール生成部１０２４に開示通知メール１１０９の生成を指示し、メール生成部１１０９は、メールテンプレート部１０２５から「開示通知メール」用テンプレートを引き出し、該ＣＣＩＤのメールアドレスをＣＣＩＤ蓄積部１０１８より取得し、これら全てを合成し、メーラー部１０２６に送信委託する。この合成されたメールはメーラー部１１２６から、メールサーバー２０へと送られ、開示通知メール１１０９としてＢ女史の情報端末３０ａに送信される。
【００３５】
Ａ氏が不許可ボタン１１０６を選択した場合は、その信号が前項同様に送信され、メール生成部１０２４が同様の手段によって「不開示」を通知するメールを作成した後、これをメールサーバー２０がＢ女史の情報端末３０ａに送信する。この場合、不許可信号によってテンプレートの選択が異なるだけである。一方、Ａ氏が調査依頼ボタン１１０７を選択した場合、制御部１０１０は処理部１０１１に指示し、Ｂ女史の個人情報を個人情報蓄積部１０２３から抽出し、調査依頼データ蓄積部１２１６に蓄積処理をする。該データは、調査対象データとして扱われる。
【００３６】
次に、自己のアドレス帳に登録したＣＣＩＤを基にした個人情報の表示方法を、図１３に示すシーケンス説明図を用いて説明する。個人情報の閲覧希望者１３０１が知人のＣＣＩＤを基にその個人情報を入手する場合、センターサーバー１０にアクセスし、自己のアドレス帳を要求する（１３０２）。センターサーバー１０では、前記アドレス情報管理部１２１５がアドレス帳テーブル１３０５に照会して、閲覧希望者のアドレス帳データの存在を確認する（１３０４）。アドレス帳テーブル１３０５を照会した結果（１３０６）、データが無い場合は不在通知を行い、在る場合はその旨通知する。存在通知を受けたセンターサーバー１０は、閲覧希望者のアドレス帳データを一覧化し、閲覧希望者に送信する（１３０７）。前記図６は、情報端末３０ａにおけるアドレス帳データの一覧表示画面例である。
【００３７】
次いで、閲覧希望者１３０１は一覧化されたアドレス帳の中から特定の個人を選択し、センターサーバー１０に対してその個人情報を要求する（１３０８）。この要求信号を受けたセンターサーバー１０では、個人情報開示管理部１２１３に対して個人情報の開示を要求し（１３０９）、個人情報開示管理部１２１３は個人情報開示テーブル１３１０に照会し、その個人情報が開示許可されているかどうかを判断する（１３１１）。
【００３８】
図８に、個人情報開示テーブル１３１０の一例を示す。本テーブル１３１０には、個人情報を閲覧可能な氏名一覧群８０１（登録者１〜登録者ｎ）を縦行配置して許可設定項８００を設けると共に、個人情報の属性となる設定項目群８０２が横列配置されている。なお、符号８０３は、自己都合による情報開示の一斉一時停止設定欄である。任意の登録者ｎの任意の許可設定項８００を“Ｙｅｓ”または“Ｎｏ”に設定することにより、その特定項は情報開示を許可または不許可とすることができる。当該設定は随時可能であり、当初、全項目の閲覧を許可した相手に対し、後日不許可設定とすることも可能である。なお、本テーブルはパソコン画面上での設定をイメージしているが、テーブルを分割することにより携帯端末上からの設定も可能となる。
【００３９】
上記照合の結果、許可されていないと判断された場合、センターサーバー１０は閲覧希望者１３０１に不許可の通知を送信する（１３１２）。他方、許可されているとの判断結果が得られた場合には、設定許可項目の通知（１３１３）に基づき、センターサーバー１０は前記図７に示すような画面構成を行い、許可項目に係る個人情報を閲覧希望者に送信する（１３１４）。勿論、この通知が全許可の場合は全項目を送信し、全不許可の場合は全項目を送信しないものとする。
【００４０】
閲覧希望者の側でも、センターサーバー１０から送信されるアドレス帳データを選択してその情報端末に表示させることができる。これを図９に示す表示設定テーブルにより説明する。本テーブルには、個人情報を閲覧可能な氏名一覧群９０１（登録者１〜登録者ｎ）を縦行配置して表示設定項９００を設けると共に、個人情報の属性となる設定項目群９０２が横列配置されている。設定項目群９０２は更に、個人的色彩の強いＡグループ属性項目群９０３、ビジネス的色彩の強いＢグループ属性項目群９０４とに大別され、上記各設定項目群を一括表示する設定欄９０５、９０６、９０７が設けられている。
【００４１】
本テーブルにおいて、任意の登録者ｎの任意の表示設定項９００を“Ｙｅｓ”または“Ｎｏ”に設定することにより、その特定項は個人情報を表示し、または非表示とすることができる。この設定は随時可能であるが、本人の開示設定が優先する為、閲覧希望者が本操作によって表示設定した場合でも、相手が不許可設定している項目は表示されない。また、全表示９０７、Ａグループのみ表示９０６、Ｂグループのみ表示９０５の各設定欄を“Ｙｅｓ”または“Ｎｏ”に設定することにより表示、非表示を切り換えることができる。上記表示設定により、情報端末に転送されるデータ量を調節したり、特定人の表示不要項目を非表示とすることができる。
【００４２】
次に、画像データをセンターサーバー１０にアップロードする方法を図１４を用いて説明する。図１４においても、センターサーバー１０中には画像データのアップロードに関連する構成部のみが示されており、前記図１０に記載した構成部については図１０と同一符号を付してその説明を省略する。ネットワークに接続されたパソコン端末６０から、メールサーバー２０の所定のアドレスに画像ファイルを送信する。当該アップロードは、メールの題名欄に前項で発行された画像ファイル名を記入し、画像ファイルを添付することにより完了する。当該送信は、画像ファイルを添付してメール送信可能な情報端末３０によっても、行うことができる。メールサーバー２０は受信したメールを、前記メールアドレスで指定された受信フォルダ１０２に格納する。
【００４３】
センターサーバー１０では、受信フォルダ監視部１４１１により受信フォルダ１０２を常時監視する。受信フォルダ監視部１４１１の監視報告によって、受信フォルダ１０２にメールを受信したことを認識した制御部１０１０は、処理部１０１１に解析を指示し、指示を受けた処理部１０１１は、メーラー部１０２６にメール信号の転送を委託する。委託を受けたメーラー部１０２６は、入出力インターフェース１０１２を介して、メール信号を入力部１００３に転送する。転送の報告を受けた処理部１０１１は、メール信号を入力部１００３から記憶部１００５に転送する。記憶部１００５内において、該メール信号中のデータは、処理部１０１１の指示を受けたデータ解析部１４１３によって、登録済の個人情報との適合関係を解析され、関連付けられてそれぞれの関連先のデータとして保存される。即ち、解析されたデータは、添付データ分離部１４１４によって画像ファイル名と画像データに分離され、画像ファイル名蓄積部１０２０と画像データ蓄積部１０２１に保存される。
【００４４】
最後に、前記センターサーバー１０に登録された個人情報の別の利用方法を説明する。図１５は、個人情報の所有者が当該個人情報を利用して、年賀状の宛名印刷やポケット手帳の印刷に利用するものである。インターネットに接続可能なパソコン端末６０には、市販の年賀状作成ソフトまたはポケット手帳印刷ソフトなどがインストールされている場合が多い。しかも、通常それらのソフトウェアには、外部データを吸い上げるインポート機能が付属する。従って、センターサーバー１０では、利用者の求めに応じ、オンライン上で個人情報の検索絞り込み、ファイルフォーマットの指定、必要項目の指定、項目の並び替え、レコードのソート等を行った後に、使い慣れたソフトウェア様に指定された形でダウンロード可能な状態にすることが、最もユーザーフレンドリーである。本機能は、それを実現するサービスである。
【００４５】
例えば、年賀状の宛名印刷において自己のアドレス帳の個人情報をダウンロードしたいと希望する登録者は、インターネットに接続可能なパソコン６０端末によりセンターサーバー１０にアクセスする。センターサーバー１０がサービス登録者であることを確認すると、要求信号解析部１５１１によってパソコン端末６０のモニターに要求事項が表示される。表示内容は、個人情報の検索絞り込み、ファイルフォーマットの指定、必要項目の指定、項目の並び替え、レコードのソート等で構成される。サービス登録者がモニター上から上記要求事項を指定すると、要求データ生成部１５１２によって、個人情報蓄積部１５１５及び／または画像データ蓄積部１０２１からデータが検索抽出され、これらがフォーマット変換部１５１３によって指定フォーマットに変換され、モニターに表示される。この表示画面より、登録者は通常のダウンロード方法によって、パソコン端末６０内に所望のデータを取り込むことができるので、パソコン端末６０に接続されたプリンタ１５２１を用いて年賀状１５２２の宛名印刷を行うことができる。符号１５２３は宛名印刷済の年賀状である。なお、インターネット接続時間及び料金等を考慮して、生成されたデータを添付メールによって受信する方法も考えられる。上述したセンターサーバー１０における各処理機能は、ＣＤ−ＲＯＭ、ＤＶＤなどのコンピュータ読み取り可能な記録媒体に処理プログラムとして記録しておくことができる。
【図１】
2011008799.tif 000003
【図２】
2011008799.tif 000004
【図３】
2011008799.tif 000005
【図４】
2011008799.tif 000006
【図５】
2011008799.tif 000007
【図６】
2011008799.tif 000008
【図７】
2011008799.tif 000009
【図８】
2011008799.tif 000010
【図９】
2011008799.tif 000011
【図１０】
2011008799.tif 000012
【図１１】
2011008799.tif 000013
【図１２】
2011008799.tif 000014
【図１３】
2011008799.tif 000015
【図１４】
2011008799.tif 000016
【図１５】
2011008799.tif 000017